(57)【要約】【課題】ディスプレイ装置内に進入した異物を、簡便な構成により、モニタ部の回動に伴い操作者の手前に排出する。【解決手段】モニタ部１２は、その前面側下部に掃出部３０を有し、該モニタ部１２を収納するハウジング１５は、回動中心２０から所定距離の円弧状に形成されて、モニタ部の回動に伴い掃出部３０と略、接する前方底面部４０ａと、回動中心からからの距離が、所定距離よりも後方にかけて次第に長い距離となる略円弧状に形成される後方底面部４０ｂと、からなる底面部を有し、前方底面部は、前記底面部の最深部ｐよりも後方となる位置から形成されて、クローズ時に掃出部と底面部との間に異物が通過し得る所定の間隙ｒが形成されるように構成した。【選択図】図１
2010254039.tif 000002
【特許請求の範囲】
【請求項１】
開口を有するハウジングと、前記ハウジング内に回動自在に収納されるモニタ部とを有し、オープン時には前記モニタ部のモニタ面が前記開口から立ち上がり、クローズ時には前記モニタ面が前記ハウジングと対向するディスプレイ装置であって、
前記モニタ部は、その下部に掃出部を有し、
前記ハウジングは、前記モニタ部の回動に伴い前記掃出部と略、接する前方底面部と、前記前方底面部に連続し、前記掃出部との間隔が、前記掃出部と前記前方底面部との間隔より広く形成された後方底面部とからなる底面部を有し、
前記前方底面部は、少なくとも前記底面部の最深部より形成され、クローズ時に異物が前記前方底面部に移動することを特徴とするディスプレイ装置。
【請求項２】
請求項１において、前記掃出部に掃き出し部材を取り付け、前記モニタ部の回動に伴って前記掃き出し部材が前記前方底面部と接し、クローズ時においては前記掃き出し部材が前記底面部とは接することなく、前記底面部との間に異物が通過し得る所定の間隙が形成されるように構成したことを特徴とするディスプレイ装置。
【請求項３】
請求項２において、前記掃き出し部材として、弾性を有するブラシないしは板状スクイージを用いたことを特徴とするディスプレイ装置。
【請求項４】
請求項１ないし３において、前記前方底面部に、前記モニタ部の回動方向と平行となる平行溝を形成し、前記掃出部の底面に、前記平行溝と嵌合する凸部を設けたことを特徴とするディスプレイ装置。
【請求項５】
請求項４において、前記平行溝と前記凸部は、互いに嵌合するが接触することがないように構成したことを特徴とするディスプレイ装置。
【請求項６】
前記請求項１ないし５において、前記後方底面部の前端部側に左右の全幅にわたる底板が取り付けられており、前記底板が、前記モニタ部のクローズ状態への回動に伴ってその後端側が上方に持ち上がるように構成されていることを特徴とするディスプレイ装置。
【請求項７】
前記請求項６において、前記底板の側端部には、該底板の後端側を上方に持ち上げる歯車機構が設けられ、前記掃出部の側端部には、前記歯車機構と係合するラック機構が固設されており、前記モニタ部のクローズ状態への回動に伴って、前記ラック機構が前記歯車機構と係合することで前記底板の後端側が上方に持ち上げられ、オープン状態への回動に伴って、前記底板が前記底面部と連続になるように構成されていることを特徴とするディスプレイ装置。
【請求項８】
請求項１ないし７において、前記モニタ部の回動軸に駆動源が連結され、該駆動源により前記モニタ部の回動が行われることを特徴とするディスプレイ装置。
【請求項９】
請求項１ないし８において、前記底面部の内、少なくとも前記後方底面部の表面が平滑に形成されていることを特徴とするディスプレイ装置。
【請求項１０】
請求項１ないし９において、前記モニタ部がモニタカバーを有し、前記モニタ部のクローズ時に、前記モニタカバーが車両のダッシュボードと略同一面を形成するように構成されていることを特徴とするディスプレイ装置。
【請求項１１】
請求項１ないし１０において、前記前方底面部の前方端部には、前記前方底面部と連続し、略水平状態に形成される載置部が設けられていることを特徴とするディスプレイ装置。  
【発明の詳細な説明】
【技術分野】
【０００１】
本発明は、車のダッシュボードに収納されるディスプレイ装置において、モニタ部をオープン状態あるいはクローズ状態に回動させたときに、異物が該ディスプレイ装置内部に入り込んだとしても、容易に取り出すことができるようにしたディスプレイ装置に関する。
【背景技術】
【０００２】
車載用のディスプレイ装置としては、図１５ないし１７に示すように、車のダッシュボード１内に、モニタ部２を収納することが行われている。
図１５に示すように、モニタ部２をクローズしている状態では、モニタカバー３がダッシュボード１と略同一面を形成し、モニタ面が下向きになってダッシュボード１内に収納される。
このクローズ状態からモニタ面を視認するためには、モニタ部２の手前側を上方に回動させて、図１７に示すように、モニタ面４が正面を向くオープン状態とする。
ところで、このようなクローズ状態からオープン状態への回動動作の途中、あるいはオープン状態からクローズ状態への回動動作の途中では、図１６に示す遷移状態が生じる。
この遷移状態では、図１８の断面図にも示すように、ダッシュボード１とモニタ部２のモニタカバー３との間には進入空間ｑが生じてしまうので、ダッシュボード１やモニタカバー３上に載置されていたコインやカード等の異物Ｘがディスプレイ装置の内部に進入してしまう恐れがある。
【０００３】
該ディスプレイ装置はダッシュボード内部という狭隘な空間内に配置されるため、モニタ部２を収納するハウジング５は、モニタ部２とハウジング５との間に隙間ができないように極力コンパクトに形成されている。
そのため、そのような異物Ｘが進入すると、図１９に示すように、該異物Ｘは、モニタ部の回動動作を繰り返したとしてもディスプレイ装置の内部にとどまってしまい、容易に取り出すことができない。
従来、このような異物を取り出すために、車をディーラーに持ち込んで、ディスプレイ装置を解体することも行われている。
また、そもそもそのようにディスプレイ装置内に異物が進入しないように、モニタ部の回動に連動して、進入空間を塞ぐプレート部材を出し入れするなどが提案されている。
【先行技術文献】
【特許文献】
【０００４】
【特許文献１】特開平１０−１８１７６０号公報
【発明の概要】
【発明が解決しようとする課題】
【０００５】
しかしながら、そのような部材を別途設けると、部品点数や組み付け工程数の増大となり、コストアップの要因となってしまう。
【０００６】
本発明は、このような従来技術の実情に鑑みてなされたもので、部品点数や組み付け工程数を実質的に増大させることがなく、比較的簡便な構成により、ディスプレイ装置の内部に進入した異物を容易に取り出すことができるディスプレイ装置を提供することである。
【課題を解決するための手段】
【０００７】
本発明は、開口を有するハウジングと、前記ハウジング内に回動自在に収納されるモニタ部とを有し、オープン時には前記モニタ部のモニタ面が前記開口から立ち上がり、クローズ時には前記モニタ面が前記ハウジングと対向するディスプレイ装置であって、
前記モニタ部は、その下部に掃出部を有し、
前記ハウジングは、前記モニタ部の回動に伴い前記掃出部と略、接する前方底面部と、前記前方底面部に連続し、前記掃出部との間隔が、前記掃出部と前記前方底面部との間隔より広く形成された後方底面部とからなる底面部を有し、
前記前方底面部は、少なくとも前記底面部の最深部より形成され、クローズ時に異物が前記前方底面部に移動するように構成したことを特徴とするものである。
【０００８】
また、本発明は、前記掃出部に掃き出し部材を取り付け、前記モニタ部の回動に伴って前記掃き出し部材が前記前方底面部と接し、クローズ時においては前記掃き出し部材が前記底面部とは接することなく、前記底面部との間に異物が通過し得る所定の間隙が形成されるように構成したことを特徴とするものである。
【０００９】
また、本発明は、前記掃き出し部材として、弾性を有するブラシないしは板状スクイージを用いたことを特徴とするものである。
【００１０】
また、本発明は、前記前方底面部に、前記モニタ部の回動方向と平行となる平行溝を形成し、前記掃出部の底面に、前記平行溝と嵌合する凸部を設けたことを特徴とするものである。
【００１１】
また、本発明は、前記平行溝と前記凸部は、互いに嵌合するが接触することがないように構成したことを特徴とするものである。
【００１２】
また、本発明は、前記後方底面部の前端部に左右の全幅にわたる底板が取り付けられており、前記底板が、前記モニタ部のクローズ状態への回動に伴ってその後端側が上方に持ち上がるように構成されていることを特徴とするものである。
【００１３】
また、本発明は、前記底板の側端部には、該底板の後端側を上方に持ち上げる歯車機構が設けられ、前記掃出部の側端部には、前記歯車機構と係合するラック機構が固設されており、前記モニタ部のクローズ状態への回動に伴って、前記ラック機構が前記歯車機構と係合することで前記底板の後端側が上方に持ち上げられ、オープン状態への回動に伴って、前記底板が前記底面部と連続になるように構成されていることを特徴とするものである。
【００１４】
また、本発明は、前記モニタ部の回動軸に駆動源が連結され、該駆動源により前記モニタ部の回動が行われることを特徴とするものである。
【００１５】
また、本発明は、前記底面部の内、少なくとも前記後方底面部の表面が平滑に形成されていることを特徴とするものである。
【００１６】
また、本発明は、前記モニタ部がモニタカバーを有し、前記モニタ部のクローズ時に、前記モニタカバーが車両のダッシュボードと略同一面を形成するように構成されていることを特徴とするものである。  
【００１７】
さらに、本発明は、前記前方底面部の前方端部には、前記前方底面部と連続し、略水平状態に形成される載置部が設けられていることを特徴とするものである。
【発明の効果】
【００１８】
本発明は、上記した構成により、部品点数や組み付け工程数を実質的に増大させることがなく、比較的簡便な構成により、ディスプレイ装置の内部に進入した異物を取り出すことができるものである。
また、モニタ部をクローズ状態からオープン状態へ回動する動作に伴って異物が排出されるので、異物を進入させたことを認識していなくても異物は排出されるから、異物の取り忘れがなくなる。
さらに、排出される異物は、操作者の手前に排出されるので、容易に取り出すことができる。
【図面の簡単な説明】
【００１９】
【図１】本発明の実施例に係るクローズ状態の説明図（断面図）。
【図２】本発明の実施例に係るモニタ部の回動軌跡の説明図（断面図）。
【図３】本発明の実施例に係る異物排出メカニズムの説明図（オープン動作）。
【図４】本発明の実施例に係る異物排出メカニズムの説明図（クローズ動作）。
【図５】本発明の実施例に係る異物排出メカニズムの説明図（オープン動作に伴う排出）。
【図６】本発明の実施例２に係るディスプレイ装置の正面図。
【図７】本発明の実施例２に係るディスプレイ装置の断面図。
【図８】本発明の実施例２に係るディスプレイ装置の排出メカニズムの説明図。
【図９】本発明の実施例３に係るディスプレイ装置の底面部の斜視断面図。
【図１０】本発明の実施例３に係るディスプレイ装置の底面部の断面図。
【図１１】本発明の実施例４に係るディスプレイ装置の正面図。
【図１２】本発明の実施例４に係るディスプレイ装置の断面図。
【図１３】本発明の実施例４に係るディスプレイ装置における底板の斜視図。
【図１４】本発明の実施例４に係るディスプレイ装置における底板の動作説明図。
【図１５】従来例に係る車載用ディスプレイのクローズ状態の斜視図。
【図１６】従来例に係る車載用ディスプレイの遷移状態状態の斜視図。
【図１７】従来例に係る車載用ディスプレイのオープン状態の斜視図。
【図１８】従来例に係る車載用ディスプレイの遷移状態での異物進入の説明図（断面図）。
【図１９】従来例に係る車載用ディスプレイの異物留置状態の説明図（断面図）。
【発明を実施するための形態】
【００２０】
以下、本発明の実施例１について、図１ないし図５を用いて、説明する。
本発明のディスプレイ装置は、図１ないし図２に示すように、車両のダッシュボード１１内の空間に上方および前方を開口して設けられたハウジング１５と、該ハウジング１５内に収納されるモニタ部１２とを有している。
該モニタ部１２は、クローズ状態においてダッシュボード１と同一面を形成するモニタカバー１３と、該モニタカバー１３とは反対の面となるモニタ面１４とを有し、ほぼ中央部に設けられる回動中心２０をハウジング１５に支持されて、ハウジング１５内で操作者から見て上下方向に回動することができるように構成されている。なお、該モニタ面１４は、液晶表示素子等から構成されている。
したがって、該モニタ部１２は、図２の回動軌跡で示すように、オープン時にはそのモニタ面１４が前記開口から立ち上がり、クローズ時には該モニタ面１４が下向きとなって前記ハウジング１５と対向するように収納される。
本実施例１では、該モニタ部１２の回動中心２０での支持機構には駆動源が連結されていないので、操作者はモニタ部１２の手前側を上方に引き上げることで、クローズ状態からオープン状態とすることができる。
【００２１】
また、該モニタ部１２には、そのモニタ面１４が形成されている側の底部に、該モニタ部１２の左右全幅にわたり、掃出部３０が設けられている。該掃出部の形状については特に限定はないが、該掃出部３０がハウジング１５の底面部４０と略接しつつ回動するときに、該掃出部３０と底面部４０との間に異物が咬まれやすいような形状としないことが望ましい。
一方、ハウジング１５の内側の底面部４０は、モニタ部１２における回動中心２０から前記掃出部３０までの距離と略同一の半径を有する円弧状に形成された前方底面部４０ａと、該前方底面部４０ａに連続し、回動中心２０からの距離が、前記前方底面部４０ａにおける距離よりも後方にかけて次第に長い距離となる略円弧状に形成される後方底面部４０ｂと、によって構成されている。操作者から見て、手前側が前方底面部４０ａであり、後方側が後方底面部４０ｂである。
また、前方底面部４０ａは、底面部４０の最深部ｐの位置よりも後方まで延びているが、モニタ部１２がクローズ状態では、前記掃出部３０が前記後方底面部４０ｂに対面する位置とされている。この前方底面部４０ａと後方底面部４０ｂとの境界は、図１に示すように、回転中心２０に対する最深部ｐからの角度θが、およそ２０ないし４５度程度が好適である。
さらに、前方底面部４０ａに連続して、操作者側の手前に、略水平の載置部１６が幅方向全幅にわたって設けられている。
これによって、モニタ部１２がクローズ状態となっているときには、掃出部３０とハウジング１５との間には、空間部ｒが形成されるとともに、後方底面部４０ｂには、異物を滑落させることができるテーパー角ｓを有するテーパー面を形成することができる。
したがって、該クローズ状態では、ディスプレイ装置に進入した異物は、該テーパー面を滑落して該空間部ｒを通過し、前方底面部４０ａの最深部ｐまで落下することとなる。
【００２２】
また、前方底面部４０ａは、モニタ部１２における回動中心２０から前記掃出部３０までの距離と略同一の半径を有する円弧状に形成されているので、図２に示すように、該前方底面部４０ａの領域においては、モニタ部１２の回動に伴い、該掃出部３０は該前方底面部４０ａと略接触しつつ回動することとなる。
【００２３】
次に、図３ないし図５を用いて、上記のように構成されたディスプレイ装置における進入した異物の排出メカニズムを説明する。
先ず、図３（１）に示すクローズ状態から（３）のオープン状態に回動させるときには、（２）の遷移状態が生じ、ダッシュボード１とモニタ部１２との間に隙間が生じてしまう。この隙間に、ダッシュボード上に載っていた異物Ｘが落下すると、該異物Ｘは、モニタ部がオープン状態のときには、後方底面部４０ｂ上を滑落して最深部ｐの位置まで落下することとなる。
次に、図３（３）のオープン状態からクローズ状態に移行させるにはｂ、図４（１）に示すように、モニタ部１２の先端部を手前側に回動させる。このとき、異物Ｘは最深部ｐにあった位置から、左方向へ回動する掃出部３０により、いったん上方に戻されるが、図４（２）に示すクローズ状態になると、該掃出３０と後方底面部４０ｂとに間隙が生じるので、再度、自重で最深部ｐまで滑落する。
この状態から、次にモニタ部１２をオープン状態にすると、図５（１）に示すように、最深部ｐに滑落していた異物Ｘは、掃出部３０の回動に伴って、該掃出部３０により操作者側へ押し出されてくるので、図５（２）に示すように、操作者の手元である載置部１６上に排出されてくることとなる。
したがって、操作者は、異物Ｘを手前側から、容易に取り出すことができる。
【００２４】
次に、本発明の実施例２について、図６ないし図８を用いて、説明する。
この実施例では、掃出部３０となる位置の全幅にわたり、掃き出し部材例えば、ブラシ３１が毛先を下に向けて植設されている。該ブラシ３１は、クレジットカードのような薄板状の異物Ｘを確実に排出させるためのものであり、モニタ部１２の回動に伴い、前方底面部４０ａと接触し、載置されている異物を押し出すことができる剛性のある毛足を有している。しかしながら、モニタ部１２がクローズ状態とされているときに、該ブラシ３１が、間隙ｒを塞いで、異物Ｘの最深部ｐへの移動の障害とならない長さとされている。
なお、該ブラシ３１の素材は、所定の剛性があり、かつ復元力のあるものであれば、各種の合成繊維材料を適宜使用することが可能である。
【００２５】
この実施例２における異物排出メカニズムを図８に示す。この異物排出メカニズム自体は、前記実施例１と変わらないが、カードやコインなどの薄板状異物を、より確実に排出しようとするものである。
図８（１）は、図７における領域Ａを拡大したものであり、掃出部３０となる位置にブラシ３１が植設されている。このオープン状態から図８（２）のクローズ状態への回動に伴い、薄板状異物Ｘは、該ブラシ３１により最深部ｐから一旦、上方に戻される。
しかし、図８（３）に示すクローズ状態では、ブラシ３１と後方底面部４０ｂとの間に間隙が生ずるので、異物Ｘは、最深部ｐ方向へ自重で再度、落下することとなる。
次に、モニタ部１２をオープン状態にするときには、図５（４）に示すように、該ブラシ３１が最深部ｐに存在している異物Ｘを確実に前方へ掃き出すこととなる。
なお、この実施例２では、掃出部３０となる位置に掃き出し部材としてブラシ３１を配置したが、ブラシに限ることなく合成ゴム等からなる板状体（スクイーズ）を用いても同様の効果を奏することができる。
【００２６】
次に、本発明の実施例３について、図９ないし図１０を用いて、説明する。
この実施例では、図９に示すように、少なくとも前方底面部４０ａに、左右の全幅にわたって、モニタ部１２の回動方向と平行な幅３〜１０ｍｍ程度の凹凸形状の平行溝４０ｃが設けられている。
一方、モニタ部１２の掃出部３０にも、該平行溝４０ｃに対応するように、凸部３０ａを形成し、図１０に示すように、該平行溝４０ｃと該凸部３０ａが互いに嵌合するように構成する。
このように構成すると、極めて薄い異物Ｘでも該凸部３０ａが確実に当接するので、容易に吐き出すことができる。
また、図１０に示すように、該平行溝４０ｃと該凸部３０ａのそれぞれの凹凸の高さを互いに重複するように設定するだけで、該凹凸を互いに接触させることがないように構成することもできる。
このように構成すると、モニタ部１２とハウジング１５が接触することがないので、回動の際に擦れあうことによる異音が発生することがない。
なお、該平行溝４０ｃの深さについては、特に限定はないが、ハウジング１５の厚み等を考慮すると１〜３ｍｍ程度が好適である。
【００２７】
次に、本発明の実施例４について、図１１ないし図１４を用いて、説明する。
この実施例では、後方底面部４０ｂの前端部側に、底板４１が、ハウジング１５の左右全幅にわたって設けられている。
該底板４１は、その後端側４１ａが上方に立ち上がるように構成されており、モニタ部１２の回動動作に伴って作動される。
このため、該底板４１の側端部には、該底板４１の基端部の回動軸４１ｂに設けられたピニオン歯車４３と、該ピニオン歯車４３と歯合するピニオン歯車４２からなる歯車機構が設けられている。
一方、モニタ装置１２の底部の側端側には、前記ピニオン歯車４２と係合することができるようにラック機構３２が固設されている。この固設位置は、該ラック機構３２が、モニタ部１２がクローズ状態になる直前で、ピニオン歯車４２を駆動する位置とされている。
この構成により、前記モニタ部１２のクローズ状態への回動に伴って、前記ラック機構３２が前記ピニオン歯車４２と係合することで回動軸４１ｂが回動し、前記底板４１の後端側４１ａが上方に持ち上げられる。
一方、オープン状態への回動に伴って、ラック機構３２は、ピニオン歯車４２をクローズ状態へ回動するときとは反対方向に回動させるので、前記底板４１の後端側４１ａは下方に復帰し、該底板４１は、底面部４０と連続面を形成することとなる。
【００２８】
したがって、モニタ部１２がクローズ状態からオープン状態になると、まもなく該底板４１は、底面部４０と連続面を形成することとなるので、例え上方から異物がディスプレイ内に進入したとしても、該底板４１に引っかかることなく最深部ｐ方向に滑落することとなる。
一方、クローズ状態になる直前では、底板４１の後端側４１ａが上方に持ち上げられるから、該底板４１上に異物が乗っていれば、その動作に伴って該異物は速やかに掃出部３０と底面部４０との間隙ｒを通過し、最深部ｐ方向に確実に滑落することとなる。
このように底板４１を構成することにより、異物を強制的に最深部ｐ方向に送り出すことができるので、異物をより確実に掃き出すことができる。
【００２９】
次に、本発明の実施例５について説明する。
この実施例では、図４（２）に示す状態、つまり、クローズ状態において、異物Ｘが最深部ｐに滑落することを確実にするために、底面部１５のうち、少なくとも後方底面部４０ｂ、好適には該後方底面部４０ｂ及びから前方底面部４０ａの最深部ｐにかけての底面部の表面が平滑に形成されている。
ハウジング１５は合成樹脂で形成しているため、その表面をより平滑に形成するためには、表面平滑性に優れた合成樹脂を使用したり、あるいは周知の表面処理技術や研磨技術を用いたりすることができる。    
【００３０】
次に本発明の実施例６について説明する。
上記実施例では、モニタ部１２の回動は、操作者による手動で行っているが、モニタ部１２の回動軸に電動駆動源を接続し、該駆動源により、モニタ部１２の回動を行わせてもよい。この場合、モニタ部１２を回動させるだけのスイッチを、異物掃きだしスイッチとしてモニタカバー上に設け、操作者が該スイッチを操作するだけで、異物を容易に取り出すことができるように構成することもできる。
また、該電動駆動源を用いて、モニタ部１２の回動と同期して、前記底板４１の回動を行うように構成することもできる。
【符号の説明】
【００３１】
１、１１  ダッシュボード
２、１２  モニタ部
３、１３  モニタカバー
４、１４  モニタ面
５、１５  ハウジング
１６    載置部
２０    回動中心
３０    掃出部
３０ａ  凸部
３１    掃き出し部材
３２    ラック機構
４０    底面部
４０ａ  前方底面部
４０ｂ  後方底面部
４０ｃ  平行溝
４１    底板
４２、４３  ピニオン歯車
Ｘ      異物
ｐ      最深部
ｒ      間隙
【図１】
2010254039.tif 000003
【図２】
2010254039.tif 000004
【図３】
2010254039.tif 000005
【図４】
2010254039.tif 000006
【図５】
2010254039.tif 000007
【図６】
2010254039.tif 000008
【図７】
2010254039.tif 000009
【図８】
2010254039.tif 000010
【図９】
2010254039.tif 000011
【図１０】
2010254039.tif 000012
【図１１】
2010254039.tif 000013
【図１２】
2010254039.tif 000014
【図１３】
2010254039.tif 000015
【図１４】
2010254039.tif 000016
【図１５】
2010254039.tif 000017
【図１６】
2010254039.tif 000018
【図１７】
2010254039.tif 000019
【図１８】
2010254039.tif 000020
【図１９】
2010254039.tif 000021